(57)【要約】【課題】既存の入力装置に後付することができ、小型である殺菌装置を提供すること。【解決手段】殺菌装置１は、ランプ部１２と固定部１１とを備えている。ランプ部１２は、タッチパネル３の表示面６の近傍に配置され、微生物を不活性化させる紫外線を表示面６の一部に照射する。固定部１１は、タッチパネル３に取りつけられ、タッチパネル３の表示面６の全部に紫外線が照射されるように、ランプ部１２を表示面６に沿って移動させる。【選択図】図１
2018007929.tif 000002
【特許請求の範囲】
【請求項１】
入力装置のうちの対象領域の一部に、微生物を不活性化させる光を照射するランプ部と、
前記ランプ部を前記対象領域に沿って移動させる駆動部
とを備える殺菌装置。
【請求項２】
前記ランプ部が移動する速度が変動するように前記駆動部を制御する制御部
をさらに備える請求項１に記載の殺菌装置。
【請求項３】
前記入力装置は、前記対象領域に配置される複数の操作部を有し、
前記制御部は、前記複数の操作部のうちの操作された操作部を示す情報を前記入力装置から収集し、前記情報に基づいて前記ランプ部が移動する速度が変動するように、前記駆動部を制御する
請求項２に記載の殺菌装置。
【請求項４】
前記ランプ部は、前記光を形成する複数の光をそれぞれ発する複数の光源を有し、
前記制御部は、前記ランプ部が移動している最中に、前記複数の光源の各々が点灯したり消灯したりするように、前記ランプ部を制御する
請求項２または請求項３に記載の殺菌装置。
【請求項５】
受付部をさらに備え、
前記制御部は、前記受付部が操作された後に前記対象領域への前記光の照射が開始されるように、前記ランプ部と前記駆動部とを制御する
請求項２〜請求項４のいずれか一項に記載の殺菌装置。
【請求項６】
前記受付部は、非接触で操作される
請求項５に記載の殺菌装置。
【請求項７】
前記制御部は、
前記ランプ部が第１待機位置に配置されているときに前記受付部が操作されることにより、前記ランプ部が前記第１待機位置から第２待機位置に移動している最中に前記光が発されるように、前記ランプ部を制御し、
前記ランプ部が前記第２待機位置に配置されているときに前記受付部が操作されることにより、前記ランプ部が前記第２待機位置から第３待機位置に移動している最中に前記光が発されるように、前記ランプ部を制御する
請求項５または請求項６に記載の殺菌装置。
【請求項８】
前記ランプ部が配置される位置の適否を検出するセンサをさらに備え、
前記制御部は、前記ランプ部が配置される位置が不適切であると検出されたときに、前記ランプ部を消灯させる
請求項２〜請求項７のいずれか一項に記載の殺菌装置。
【請求項９】
前記制御部は、前記ランプ部が移動しているときに、前記対象領域にメッセージが表示されるように、前記入力装置を制御する
請求項２〜請求項８のいずれか一項に記載の殺菌装置。
【請求項１０】
前記駆動部は、
前記ランプ部を水平方向に平行移動可能に支持するガイド部と、
前記ランプ部を水平方向に平行移動させる駆動部本体とを有する
請求項１〜請求項９のいずれか一項に記載の殺菌装置。
【請求項１１】
前記ガイド部は、前記ランプ部が前記対象領域に接触しないように、前記ランプ部を支持する
請求項１０に記載の殺菌装置。
【請求項１２】
前記ガイド部を前記入力装置に取り付ける取り付け部
をさらに備える請求項１０または請求項１１に記載の殺菌装置。
【請求項１３】
前記ランプ部は、前記対象領域のうちの前記光に照射される領域を覆うカバーを有する
請求項１〜請求項１２のいずれか一項に記載の殺菌装置。
【発明の詳細な説明】
【技術分野】
【０００１】
本開示の技術は、殺菌装置に関する。
【背景技術】
【０００２】
不特定多数の人が利用する情報端末が知られている。このような情報端末としては、現金自動預け払い機、券売機、自動再来受付機が例示される。このような情報端末は、タッチパネルを介して情報が入力される。タッチパネルは、人に指で触れられることにより操作され、人に触れられることにより微生物で汚染されることがある。タッチパネルの表面に付着した微生物を不活性化させるための装置が知られている（特許文献１〜４参照）。
【先行技術文献】
【特許文献】
【０００３】
【特許文献１】特開平０３−２６６０１９号公報
【特許文献２】米国特許出願公開第２０１５／０２５８２２８号明細書
【特許文献３】特開２０１２−１０８２２２号公報
【特許文献４】特開平１１−５３１１３号公報
【発明の概要】
【発明が解決しようとする課題】
【０００４】
上述の装置のうちの抗菌剤や光触媒を利用した装置は、抗菌するものであったり、微生物の分解に時間を要するものであったりし、タッチパネルの表面に付着した微生物を適切に不活性化することが困難である。タッチパネル上の可動式のフィルムを移動させる装置は、構造が複雑であり、大掛かりになってしまう。タッチパネルの表面に紫外線を照射することにより微生物を不活性化させる装置に関しても、紫外線をタッチパネルの全面に照射したり、ユーザに照射される紫外線を遮蔽したりするために、大掛かりになってしまう。
【０００５】
開示の技術は、かかる点に鑑みてなされたものであって、小型である殺菌装置を提供することを目的とする。
【課題を解決するための手段】
【０００６】
開示の態様では、殺菌装置は、入力装置のうちの対象領域の一部に、微生物を不活性化させる光を照射するランプ部と、前記ランプ部を前記対象領域に沿って移動させる駆動部とを備えている。
【発明の効果】
【０００７】
開示の殺菌装置は、より小型化することができる。
【図面の簡単な説明】
【０００８】
【図１】図１は、実施例１の殺菌装置を示す斜視図である。
【図２】図２は、ランプ部を示す平面図である。
【図３】図３は、ランプ部を示す背面図である。
【図４】図４は、ランプ部を示す断面図である。
【図５】図５は、固定部の筐体の内部を示す斜視図である。
【図６】図６は、情報端末装置と殺菌装置とを示すブロック図である。
【図７】図７は、制御部を示すブロック図である。
【図８】図８は、タッチパネルの表示面に表示される画面を示し、ランプ部が待機する待機位置を示す平面図である。
【図９】図９は、紫外線照射する動作を示すフローチャートである。
【図１０】図１０は、ランプ部が移動する速度の変化を示すグラフである。
【図１１】図１１は、殺菌装置が設置される券売機を示す斜視図である。
【図１２】図１２は、実施例２の殺菌装置のランプ部を示す背面図である。
【発明を実施するための形態】
【０００９】
以下に、本願が開示する実施形態にかかる殺菌装置について、図面を参照して説明する。なお、以下の記載により開示の技術が限定されるものではない。また、以下の記載においては、同一の構成要素に同一の符号を付与し、重複する説明を省略する。
【実施例１】
【００１０】
図１は、実施例１の殺菌装置を示す斜視図である。殺菌装置１は、図１に示されているように、情報端末装置１０に取りつけられている。情報端末装置１０は、たとえば、病院で再来の患者により利用される自動再来受付機であり、装置本体２にタッチパネル付表示装置（以下、「タッチパネル」と記載される。）３が設けられている。タッチパネル３は、タッチパネル筐体５を備え、表示面６が形成されている。タッチパネル筐体５は、タッチパネル３の外殻を形成している。表示面６は、平坦に形成され、長方形状に形成されている。タッチパネル３は、情報端末装置１０が設置面に設置されるときに、表示面６の上辺７が設置面に平行になるように、形成されている。すなわち、タッチパネル３は、情報端末装置１０が水平面に設置されるときに、表示面６の上辺７が水平になるように、形成されている。タッチパネル３は、所定の画面を表示面６に表示し、表示面６のうちのユーザにより触れられた領域の位置を検出する。
【００１１】
殺菌装置１は、固定部１１とランプ部１２とを備えている。固定部１１は、概ね直方体状に形成されている。固定部１１は、表示面６の上辺７に平行である直線に沿って配置されている。ランプ部１２は、表示面６の上辺７に隣り合う辺の長さより長い棒状に形成されている。ランプ部１２は、表示面６に平行である直線に沿うように、かつ、表示面６の上辺７に垂直である直線に沿うように、タッチパネル３の表示面６の近傍に配置されている。ランプ部１２は、一端が固定部１１の近傍に配置され、タッチパネル筐体５のうちのタッチパネル３の表示面６の下部の近傍に他端が配置されている。
【００１２】
図２は、ランプ部を示す平面図である。ランプ部１２は、図２に示されているように、ランプ部筐体１３と非接触センサ１４とＬＥＤ（Ｌｉｇｈｔ  Ｅｍｉｔｔｉｎｇ  Ｄｉｏｄｅ）ランプ１５とを備えている。ランプ部筐体１３は、ランプ部１２の外殻を形成している。非接触センサ１４は、ランプ部筐体１３のうちのタッチパネル３の表示面６に対向する側の反対側に配置されている。非接触センサ１４は、非接触センサ１４に接近する物体の有無を非接触で検出する。ＬＥＤランプ１５は、ランプ部筐体１３のうちのタッチパネル３の表示面６に対向する側の反対側に配置され、非接触センサ１４の近傍に配置されている。ＬＥＤランプ１５は、可視光を発する。
【００１３】
図３は、ランプ部を示す背面図である。ランプ部１２は、図３に示されているように、ＵＶ（ＵｌｔｒａＶｉｏｌｅｔ）ランプ１６とローラ１７とインターロックセンサ１８とを備えている。ＵＶランプ１６は、冷陰極管（ＣＣＬ：Ｃｏｌｄ  Ｃａｔｈｏｄｅ  Ｌａｍｐ）から形成され、表示面６の上辺７に隣り合う辺の長さと概ね等しい長さの棒状に形成されている。ＵＶランプ１６は、ランプ部筐体１３のうちのタッチパネル３の表示面６に対向する側に形成された溝１９の内部に配置されている。ＵＶランプ１６は、紫外線を放射する。
【００１４】
ローラ１７は、ランプ部筐体１３のうちのタッチパネル３の表示面６に対向する側に配置され、ランプ部筐体１３の固定部１１に近い側の反対側に配置され、回転可能にランプ部筐体１３に支持されている。すなわち、ローラ１７は、ランプ部１２がタッチパネル３の表示面６に沿って移動するときに、タッチパネル筐体５のうちのタッチパネル３の表示面６の下部を転がるように形成されている。ローラ１７は、ランプ部１２がタッチパネル３の表示面６に沿って移動するときに、タッチパネル筐体５を転がることにより、ランプ部筐体１３の下端がタッチパネル筐体５を摺動することを防止し、ランプ部１２の移動をスムーズにする。インターロックセンサ１８は、ランプ部筐体１３のうちのタッチパネル３の表示面６に対向する側に配置され、ローラ１７の近傍に配置されている。インターロックセンサ１８は、ランプ部１２が所定の位置に配置されているかどうかを検出する。すなわち、インターロックセンサ１８は、ランプ部筐体１３のうちのタッチパネル３の表示面６に対向する側の表面から、タッチパネル３の表示面６までの距離が所定の距離以下であるかどうかを検出する。
【００１５】
図４は、ランプ部を示す断面図である。ランプ部１２は、図４に示されているように、さらに、カバー２１と反射板２２とを備えている。カバー２１は、スポンジから形成され、帯状に形成されている。カバー２１は、ランプ部筐体１３とタッチパネル３の表示面６との隙間を埋めるように配置され、溝１９を取り囲むように、ランプ部筐体１３の表示面６に対向する側の面のうちの溝１９の縁に接合されている。カバー２１は、固定部１１とローラ１７とによりランプ部１２の両端が支持されていることにより、タッチパネル３に接触することが防止されている。なお、カバー２１は、スポンジと異なる他の材料から形成されてもよい。その材料は、ＵＶランプ１６から放射される紫外線に対して不透明であり、仮に、表示面６に接しながら移動しても表示面６を傷つけない程度に軟らかい。その材料としては、ゴム、エラストマーが例示される。
【００１６】
反射板２２は、アルミニウムに例示される金属から形成され、箔に形成されている。反射板２２は、ランプ部筐体１３の溝１９を形成する面を覆うように、溝１９の内部に配置されている。反射板２２は、ＵＶランプ１６から放射される紫外線のうちの反射板２２に照射される紫外線を反射する。
【００１７】
ランプ部１２は、このように形成されることにより、タッチパネル３の表示面６の一部に紫外線を照射し、他の部分に紫外線を照射しない。このため、ランプ部１２は、タッチパネル３の表示面６の全体に一気に紫外線を照射可能である他のランプ部に比較して、より小型に形成されることができる。
【００１８】
ＵＶランプ１６から放射される紫外線は、表示面６に付着している微生物２３に照射されることにより、微生物２３を不活性化する。微生物２３としては、病原体である菌、細菌、ウィルスが例示される。微生物２３は、不活性化されることにより、病原性をなくし、または、感染性をなくしてしまう。
【００１９】
図５は、固定部の筐体の内部を示す斜視図である。固定部１１は、図５に示されているように、固定部筐体３１とガイドバー３２とスライダ３３と２つの定滑車３４とベルト３５とを備えている。固定部筐体３１は、固定部１１の外郭を形成している。固定部筐体３１は、図示されていない両面テープにより、タッチパネル３のタッチパネル筐体５のうちの表示面６の上部に接着されている。
【００２０】
ガイドバー３２は、棒状に形成されている。ガイドバー３２は、固定部筐体３１の内部に配置され、表示面６の上辺７に平行である直線に沿って配置されるように、両端が固定部筐体３１に固定されている。スライダ３３は、一部が固定部筐体３１の内部に配置され、他部が固定部筐体３１の外部でランプ部１２のランプ部筐体１３の上端に固定されている。すなわち、ランプ部１２は、ガイドバー３２とスライダ３３とを介して、固定部１１により、表示面６の上辺７に平行である直線に平行である方向に平行移動可能に支持されている。
【００２１】
２つの定滑車３４は、固定部筐体３１の内部に配置され、ガイドバー３２の両端の近傍にそれぞれ配置されている。ベルト３５は、ループ状の帯から形成され、２つの定滑車３４に架け渡されている。ベルト３５は、さらに、一部がスライダ３３に接合されている。
【００２２】
固定部１１は、さらに、位置センサ３６と駆動モータ３７と制御部３８とを備えている。位置センサ３６は、制御部３８に制御されることにより、スライダ３３の位置を検出し、すなわち、ランプ部１２の位置を検出する。駆動モータ３７は、図示されていないベルト車を備え、制御部３８に制御されることにより、ベルト車を回転させる。ベルト３５は、ベルト車に接触し、ベルト車とベルト３５との間に作用する摩擦力によりベルト車に固定され、ベルト車の回転に同期して移動する。このため、駆動モータ３７は、ベルト車を回転することにより、ベルト３５とスライダ３３とを介してランプ部１２を移動させることができる。駆動モータ３７は、ベルト車の回転を停止することにより、ベルト３５とスライダ３３とを介してランプ部１２の移動を停止させることができる。ベルト３５は、摩擦力によりベルト車に固定されていることにより、その摩擦力以上の力が印加されるときに、ベルト車と摺動する。このため、ユーザは、ベルト車が回転していない場合でも、その摩擦力以上の力をランプ部１２に印加することにより、ランプ部１２を移動させることができる。さらに、ユーザは、ランプ部１２が移動している最中に、その摩擦力以上の力をランプ部１２に印加することにより、ランプ部１２の移動を停止させることができる。
【００２３】
殺菌装置１は、さらに、接続ケーブル４１とインターフェースケーブル４２とを備えている。制御部３８は、接続ケーブル４１を介して、ランプ部１２の非接触センサ１４とＬＥＤランプ１５とＵＶランプ１６とインターロックセンサ１８とに情報伝達可能に接続されている。接続ケーブル４１は、ランプ部１２が移動した場合でも、制御部３８がランプ部１２の非接触センサ１４とＬＥＤランプ１５とＵＶランプ１６とインターロックセンサ１８とに接続されるように、屈曲可能に形成されている。殺菌装置１は、インターフェースケーブル４２を介して、情報端末装置１０に接続されている。
【００２４】
固定部１１は、このように形成されることにより、ランプ部１２を所定の位置に配置させることができ、ランプ部１２を表示面６に沿って移動させることができる。ランプ部１２は、タッチパネル３の表示面６の近傍に配置されることにより、タッチパネル３の表示面６の一部に紫外線を照射することができる。
【００２５】
図６は、情報端末装置と殺菌装置とを示すブロック図である。情報端末装置１０は、図６に示されているように、複数の入出力ユニット５１と処理装置５２とを備えている。複数の入出力ユニット５１は、それぞれ、利用者が情報を入力するために利用される装置、または、ユーザに対して情報を通知する装置である。複数の入出力ユニット５１としては、プリンタ、磁気カードリーダ、非接触ＩＣ（Ｉｎｔｅｇｒａｔｅｄ  Ｃｉｒｃｕｉｔ）カードリーダライタ、二次元バーコードリーダが例示される。プリンタは、情報が印字された用紙（たとえば、待合番号票、レシート、次回の診療の予約票）を発行する。磁気カードリーダは、診療カードに例示される磁気カードが挿入されることにより、その磁気カードに磁気を用いて記載された情報を読み取る。非接触ＩＣカードリーダライタは、診療カードに例示される非接触ＩＣカードがかざされることにより、非接触ＩＣカードに記載された情報を読み取り、または、非接触ＩＣカードに情報を書き込む。二次元バーコードリーダは、携帯電話機の画面を向けられることにより、その画面上に表示される二次元バーコードを読み取る。
【００２６】
処理装置５２は、情報端末装置１０の装置本体２の内部に配置されている。処理装置５２は、タッチパネル３に情報伝達可能に接続され、複数の入出力ユニット５１に情報伝達可能に接続されている。処理装置５２は、いわゆるコンピュータであり、ＣＰＵ（Ｃｅｎｔｒａｌ  Ｐｒｏｃｅｓｓｉｎｇ  Ｕｎｉｔ）と記憶装置とを備えている。ＣＰＵは、処理装置５２にインストールされているコンピュータプログラムを実行することにより、タッチパネル３と複数の入出力ユニット５１とを制御する。記憶装置は、そのコンピュータプログラムを記録し、ＣＰＵにより作成される情報を一時的に記録する。
【００２７】
処理装置５２は、タッチパネル３と複数の入出力ユニット５１とを介してユーザにより入力された情報に基づいて所定の処理を実行し、その処理により作成された情報をタッチパネル３と複数の入出力ユニット５１とを介してユーザに通知する。処理装置５２は、さらに、情報端末装置１０がユーザにより利用されている最中かどうかを殺菌装置１の制御部３８に伝達する。処理装置５２は、さらに、殺菌装置１の制御部３８に制御されることにより、タッチパネル３の表示面６に所定の画像が表示されるように、タッチパネル３を制御する。処理装置５２は、さらに、タッチパネル３がユーザにより操作されたときに、表示面６のうちのユーザに触れられた領域が配置された接触位置を検出し、その接触位置を記憶装置に記録する。処理装置５２は、殺菌装置１の制御部３８に制御されることにより、その接触位置を殺菌装置１の制御部３８に伝達する。
【００２８】
殺菌装置１は、インターフェースケーブル４２を介して情報端末装置１０から電力が供給されている。すなわち、ランプ部１２の非接触センサ１４とＬＥＤランプ１５とＵＶランプ１６とインターロックセンサ１８と制御部３８とは、情報端末装置１０から供給される電力を用いて動作する。このとき、殺菌装置１の制御部３８は、インターフェースケーブル４２を介して情報端末装置１０の処理装置５２に情報伝達可能に接続されている。
【００２９】
図７は、制御部を示すブロック図である。制御部３８は、いわゆるコンピュータであり、ＣＰＵと記憶装置とを備えている。ＣＰＵは、制御部３８にインストールされているコンピュータプログラムを実行することにより、非接触センサ１４とＬＥＤランプ１５とＵＶランプ１６とインターロックセンサ１８と位置センサ３６と駆動モータ３７とを制御する。記憶装置は、そのコンピュータプログラムを記録し、ＣＰＵにより作成される情報を一時的に記録する。
【００３０】
制御部３８にインストールされるコンピュータプログラムは、制御部３８に複数の機能をそれぞれ実現させるための複数のコンピュータプログラムから形成されている。その複数の機能は、図７に示されているように、操作領域収集部６１と殺菌部６２とインターロック部６３と殺菌促進部６４とを含んでいる。
【００３１】
操作領域収集部６１は、所定の期間ごとにタッチパネル３の表示面６のうちのユーザに触れられた汚染領域の位置が収集されるように、情報端末装置１０の処理装置５２と通信する。操作領域収集部６１は、さらに、その収集された位置が記録されるように、記憶装置を制御する。操作領域収集部６１は、タッチパネル３の表示面６の紫外線照射が実行されると、その収集された位置の情報が記憶装置から削除されるように、記憶装置を制御する。
【００３２】
殺菌部６２は、殺菌装置１に手がかざされたかどうかが検出されるように、非接触センサ１４を制御する。殺菌部６２は、さらに、情報端末装置１０の処理装置５２から殺菌の指示を受信する。殺菌部６２は、さらに、タッチパネル３が前回に紫外線照射された時刻から経過した時間を計測する。
【００３３】
殺菌部６２は、殺菌装置１に手がかざされると、または、情報端末装置１０から指示を受信すると、または、タッチパネル３が所定の期間紫外線照射されていないときに、紫外線照射する動作を開始する。すなわち、殺菌部６２は、ランプ部１２が配置されているランプ位置が検出されるように、位置センサ３６を制御する。殺菌部６２は、ランプ部１２が所定の領域を所定の速度で移動するように、駆動モータ３７を制御する。殺菌部６２は、ランプ部１２が所定の領域を移動しているときに、紫外線が発されるように、ＵＶランプ１６を制御する。殺菌部６２は、さらに、ＵＶランプ１６が点灯しているときに、ＬＥＤランプ１５を点灯させ、殺菌中である旨のメッセージがタッチパネル３の表示面６に表示されるように、情報端末装置１０を制御する。
【００３４】
インターロック部６３は、ＵＶランプ１６が紫外線を発しているときに、ランプ部１２が所定の位置に配置されているかどうかが検出されるように、インターロックセンサ１８を制御する。インターロック部６３は、ランプ部１２が所定の位置に配置されていないと検出されたときに、紫外線が発されないように、ＵＶランプ１６を制御し、ランプ部１２が移動しないように、駆動モータ３７を制御する。
【００３５】
殺菌促進部６４は、情報端末装置１０がユーザにより利用されているかどうかが取得されるように、情報端末装置１０と通信する。殺菌促進部６４は、情報端末装置１０がユーザにより利用されていないときに、殺菌装置１を起動させる操作をユーザに促すメッセージがタッチパネル３の表示面６に表示されるように、情報端末装置１０を制御する。
【００３６】
図８は、タッチパネルの表示面に表示される画面を示し、ランプ部が待機する待機位置を示す平面図である。処理装置５２は、タッチパネル３を介して情報が入力されるときに、図８に示されているように、タッチパネル３の表示面６に複数のボタン７２−１〜７２−２を表示させる。このとき、ユーザは、表示面６のうちの複数のボタン７２−１〜７２−２が表示される領域を指で触れることにより所望の情報を入力する。処理装置５２は、表示面６のうちの指で触れられた領域の位置に基づいて取得した情報を用いて、所定の処理を実行する。
【００３７】
殺菌装置１は、ランプ部１２が配置される複数の待機位置７１−１〜７１−３が設定されている。複数の待機位置７１−１〜７１−３のうちの第１待機位置７１−１は、タッチパネル筐体５のうちのタッチパネル３の表示面６の水平方向の一端の近傍の領域に配置されている。第２待機位置７１−２は、タッチパネル筐体５のうちのタッチパネル３の表示面６の水平方向の他端の近傍の領域に配置されている。すなわち、第２待機位置７１−２は、第１待機位置７１−１と第２待機位置７１−２との間にタッチパネル３の表示面６が配置されるように、設定されている。第３待機位置７１−３は、第１待機位置７１−１と第２待機位置７１−２との中間に配置されている。
【００３８】
タッチパネル３の表示面６は、第１領域７３−１と第２領域７３−２とから形成されている。第１領域７３−１は、第１待機位置７１−１と第３待機位置７１−３との間に配置されている。第２領域７３−２は、第２待機位置７１−２と第３待機位置７１−３との間に配置されている。このとき、複数のボタン７２−１は、第１領域７３−１に表示される。複数のボタン７２−２は、第２領域７３−２に表示される。
【００３９】
［殺菌装置の動作］
殺菌装置１の動作は、汚染領域の位置を収集する動作と、紫外線照射を促す動作と、紫外線照射する動作と、インターロックの動作とを備えている。
【００４０】
汚染領域の位置を収集する動作は、間欠的に実行される。制御部３８は、所定の期間ごとに情報端末装置１０の処理装置５２と通信して、タッチパネル３の表示面６のうちのユーザに触れられた領域の位置を収集する。制御部３８は、その収集された位置を記憶装置に記録する。制御部３８は、さらに、紫外線照射する動作が実行されると、その収集された位置の情報を記憶装置から削除する。
【００４１】
殺菌を促す動作は、情報端末装置１０がユーザにより利用されていないときに実行される。すなわち、制御部３８は、情報端末装置１０がユーザにより利用されていないことが情報端末装置１０から伝達されると、情報端末装置１０を制御することにより、殺菌装置１を起動させる操作をユーザに促すメッセージをタッチパネル３の表示面６に表示する。そのメッセージとしては、「タッチパネルを殺菌したいときは、殺菌装置に手をかざしてください。」が例示される。
【００４２】
図９は、紫外線照射する動作を示すフローチャートである。紫外線照射する動作は、殺菌装置１の非接触センサ１４に手をかざされたときに、または、情報端末装置１０が起動したときに、または、情報端末装置１０がシャットダウンするときに、または、タッチパネル３が所定の期間殺菌されていないときに、開始する。すなわち、ユーザは、タッチパネル３の表示面６を殺菌したいときに、殺菌装置１の非接触センサ１４に手をかざす。情報端末装置１０の処理装置５２は、情報端末装置１０が起動されたときに、または、シャットダウンされるように情報端末装置１０が操作されたときに、紫外線照射する動作が実行されるように殺菌装置１に指示を伝達する。
【００４３】
制御部３８は、手が非接触センサ１４にかざされたことが非接触センサ１４により検出されると、または、情報端末装置１０の処理装置５２から指示を受信すると、または、タッチパネル３が所定の期間殺菌されていないときに、紫外線照射する動作を開始する。制御部３８は、紫外線照射する動作が開始されると、図９に示されているように、まず、位置センサ３６を制御することにより、ランプ部１２が配置されているランプ位置を検出する（ステップＳ１）。制御部３８は、複数の待機位置７１−１〜７１−２にランプ部１２が配置されていないときに（ステップＳ１、Ｎｏ）、その検出されたランプ位置に基づいて複数の待機位置７１−１〜７１−２から１つの待機位置を選択する。その選択された待機位置は、複数の待機位置７１−１〜７１−２のうちのランプ位置に最も近い待機位置を示している。制御部３８は、駆動モータ３７を制御することにより、その選択された待機位置にランプ部１２を移動させる（ステップＳ２）。
【００４４】
制御部３８は、ランプ部１２が複数の待機位置７１−１〜７１−２のいずれかに配置されているときに（ステップＳ１、Ｙｅｓ）、または、ランプ部１２を複数の待機位置７１−１〜７１−２に移動させた後に、殺菌中である旨をユーザに通知する（ステップＳ３）。すなわち、制御部３８は、ＬＥＤランプ１５を制御することにより、ＬＥＤランプ１５を点滅させる。制御部３８は、さらに、情報端末装置１０を制御することにより、殺菌中である旨のメッセージをタッチパネル３の表示面６に表示する。そのメッセージとしては、「殺菌中です。殺菌装置に手を触れないでください。」が例示される。制御部３８は、殺菌中である旨をユーザに通知した後に、ＵＶランプ１６を点灯する（ステップＳ４）。
【００４５】
制御部３８は、ＵＶランプ１６を点灯した後に、駆動モータ３７を制御することにより、ランプ部１２を移動させる（ステップＳ５）。すなわち、制御部３８は、ランプ部１２が第１待機位置７１−１に配置されているときに、ランプ部１２が第２待機位置７１−２に接近するように、ランプ部１２を移動させる。制御部３８は、ランプ部１２が第２待機位置７１−２に配置されているときに、ランプ部１２が第１待機位置７１−１に接近するように、ランプ部１２を移動させる。
【００４６】
制御部３８は、さらに、既述の汚染領域の位置を収集する動作で収集された汚染領域に基づいて、ランプ部１２が移動する速度を変動させる。すなわち、制御部３８は、その汚染領域にＵＶランプ１６が紫外線を照射するときに、第１速度でランプ部１２を移動させる。制御部３８は、表示面６のうちのその汚染領域を除く領域にＵＶランプ１６が紫外線を照射するときに、第１速度より速い第２速度でランプ部１２を移動させる。
【００４７】
制御部３８は、位置センサ３６を制御することにより、ランプ部１２の位置を監視する。制御部３８は、ランプ部１２が複数の待機位置７１−１〜７１−２のいずれかに到達したときに、駆動モータ３７を制御することにより、その到達した待機位置にランプ部１２が配置されるように、ランプ部１２の移動を停止させる（ステップＳ６）。制御部３８は、ランプ部１２が複数の待機位置７１−１〜７１−２のいずれかに到達したときに、さらに、ＵＶランプ１６を消灯する（ステップＳ７）。
【００４８】
制御部３８は、ＵＶランプ１６が消灯された後に、殺菌が終了したことをユーザに通知する（ステップＳ８）。すなわち、制御部３８は、ＬＥＤランプ１５の点滅を停止し、ＬＥＤランプ１５を点灯させる。制御部３８は、さらに、情報端末装置１０を制御することにより、殺菌が終了したことを示すメッセージをタッチパネル３の表示面６に表示する。そのメッセージとしては、「殺菌が完了しました。」が例示される。
【００４９】
図１０は、ランプ部が移動する速度の変化を示すグラフである。そのグラフ上の折れ線８１は、図９のフローチャートのステップＳ５で、ランプ部１２の位置に応じて、ランプ部１２が移動する速度が変動することを示している。折れ線８１は、さらに、制御部３８が情報端末装置１０から取得した汚染領域８２、８３を移動するときに、低速８４でランプ部１２が移動することを示している。低速８４は、ランプ部１２が低速８４で移動するときにＵＶランプ１６により紫外線が照射された表示面６の領域に付着した微生物が適切に不活性化されるように、設定されている。折れ線８１は、さらに、汚染領域８２、８３を除く領域を移動するときに、低速８４より速い高速８５でランプ部１２が移動することを示している。高速８５は、ランプ部１２が表示面６に沿って適切に移動することができる速度に設定されている。
【００５０】
殺菌装置１は、速度が変動するようにランプ部１２を移動させることにより、速度を変動させないで低速８４でランプ部１２を移動させることに比較して、表示面６に紫外線をより短時間に照射することができる。殺菌装置１は、さらに、汚染領域８２、８３を移動するときに低速８４でランプ部１２を移動させることにより、汚染領域８２、８３に十分に紫外線を照射することができ、汚染領域８２、８３に付着した微生物を適切に不活性化することができる。
【００５１】
インターロックの動作は、ＵＶランプ１６が紫外線を発している最中に実行される。制御部３８は、インターロックセンサ１８を制御することにより、ランプ部１２が適切な位置に配置されているかどうかを検出する。制御部３８は、さらに、位置センサ３６を制御することにより、ランプ部１２が所定の速度で移動しているかどうかを検出する。制御部３８は、ランプ部１２からタッチパネル３の表示面６までの距離が所定の距離以上であることが検出されたときに、ＵＶランプ１６を消灯し、駆動モータ３７を停止させる。制御部３８は、さらに、ランプ部１２が移動しないで停止していることが検出されたときに、ＵＶランプ１６を消灯し、駆動モータ３７を停止させる。
【００５２】
ＵＶランプ１６から発される紫外線は、ランプ部１２が持ち上げられたときに、情報端末装置１０のユーザに照射されることがある。殺菌装置１は、ランプ部１２が持ち上げられた場合でも、ＵＶランプ１６が消灯されることにより、情報端末装置１０のユーザに照射される紫外線の量を低減することができる。ランプ部１２は、ユーザの指に例示される障害物に移動中に衝突したときに、停止し、タッチパネル３の表示面６の一部に大量の紫外線を照射することがある。タッチパネル３の表示面６は、紫外線が照射されることにより、劣化する。殺菌装置１は、ランプ部１２が停止した場合でも、ＵＶランプ１６が消灯されることにより、表示面６に照射される紫外線の量を低減することができ、表示面６の劣化を低減することができる。
【００５３】
［殺菌装置の効果］
実施例１の殺菌装置１は、タッチパネル３のうちの表示面６の一部に、微生物を不活性化させる紫外線を照射するランプ部１２と、ランプ部１２を表示面６に沿って移動させる固定部１１とを備えている。このような殺菌装置１は、表示面６の一部に紫外線を照射するランプ部１２を用いて表示面６の全体に紫外線を照射することにより、表示面６の全体に紫外線を一気に照射する他の殺菌装置１に比較して、小型である。殺菌装置１は、小型であることにより、後付によりタッチパネル３に容易に設置することができる。
【００５４】
また、実施例１の殺菌装置１は、ランプ部１２が移動する速度が変動するように固定部１１を制御する制御部３８をさらに備えている。このような殺菌装置１は、ランプ部１２が移動する速度を変動させることにより、ランプ部１２が発する紫外線の強度が変動しない場合でも、表示面６の部位ごとに異なる照射量の紫外線を照射することができる。殺菌装置１は、ランプ部１２が低速に移動するときに紫外線が照射される領域に付着した微生物を適切に不活性化することができ、ランプ部１２が高速に移動するときに紫外線が照射される領域の紫外線による劣化を低減することができる。殺菌装置１は、さらに、表示面６の一部で高速に移動することにより、表示面６の全体で速度を変動させないで低速でランプ部１２を移動させることに比較して、表示面６の全体に紫外線をより短時間に照射することができる。
【００５５】
また、タッチパネル３は、表示面６に配置される複数のボタン７２−１〜７２−２を有している。このとき、制御部３８は、複数のボタン７２−１〜７２−２のうちの操作されたボタンを示す情報を情報端末装置１０から収集し、その情報に基づいてランプ部１２が移動する速度が変動するように、固定部１１を制御する。このような殺菌装置１は、操作されたボタンに基づいてランプ部１２が移動する速度を変動させることにより、表示面６のうちの微生物が付着した可能性がある領域に重点的に紫外線を照射することができる。
【００５６】
ところで、実施例１の殺菌装置１は、表示面６に紫外線照射するときに、ランプ部１２が移動する速度を変動させているが、一定の速度でランプ部１２を移動させてもよい。殺菌装置１は、一定の速度でランプ部１２を移動させる場合でも、表示面６の一部を紫外線照射するランプ部１２を移動させて表示面６の全部を紫外線照射することにより、小型化させることができる。
【００５７】
また、実施例１の殺菌装置１は、非接触センサ１４をさらに備えている。このとき、制御部３８は、非接触センサ１４が操作された後に表示面６への紫外線の照射が開始されるように、ランプ部１２と固定部１１とを制御する。このような殺菌装置１は、非接触センサ１４が操作されてから起動することにより、ユーザが所望のタイミングでタッチパネル３の紫外線照射を開始させることができ、ユーザの安心感を高めることができる。
【００５８】
また、非接触センサ１４は、非接触で操作される。このような殺菌装置１は、ユーザが非接触センサ１４を非接触で操作することにより、ユーザが殺菌装置１に触れることなく、ユーザがタッチパネル３の紫外線照射を開始させることができる。
【００５９】
また、制御部３８は、ランプ部１２が第１待機位置７１−１に配置されているときに非接触センサ１４が操作されることにより、ランプ部１２が第１待機位置７１−１から第２待機位置７１−２に移動している最中に紫外線が発されるように、ランプ部１２を制御する。制御部３８は、ランプ部１２が第２待機位置７１−２に配置されているときに非接触センサ１４が操作されることにより、ランプ部１２が第２待機位置７１−２から第１待機位置７１−１に移動している最中に紫外線が発されるように、ランプ部１２を制御する。すなわち、殺菌装置１は、ランプ部１２を第１待機位置７１−１から第２待機位置７１−２に移動させることにより表示面６に紫外線を照射し、ランプ部１２を第２待機位置７１−２から第１待機位置７１−１に移動させることにより表示面６に紫外線を照射する。このような殺菌装置１は、ランプ部１２が一方向に移動することにより表示面６の全体を紫外線照射することにより、途中で折り返すようにランプ部１２を移動させて紫外線照射する他の動作に比較して、ランプ部１２をより高速に紫外線照射することができる。
【００６０】
また、実施例１の殺菌装置１は、ランプ部１２が配置される位置の適否を検出するインターロックセンサ１８をさらに備えている。このとき、制御部３８は、ランプ部１２が配置される位置が不適切であると検出されたときに、ランプ部１２を消灯させる。ランプ部１２から発される紫外線は、ランプ部１２が配置される位置が不適切であるときに、ユーザに照射されることがある。このような殺菌装置１は、ランプ部１２が不適切な位置に配置されたときにランプ部１２を消灯させることにより、ユーザが紫外線に照射される量を低減することができる。
【００６１】
また、制御部３８は、ランプ部１２が移動しているときに、表示面６にメッセージが表示されるように、タッチパネル３を制御する。制御部３８は、ランプ部１２が紫外線を照射しているときに、表示面６にメッセージが表示されるように、タッチパネル３を制御する。このような殺菌装置１は、タッチパネル３の表示面６にメッセージを表示することにより、移動しているランプ部１２に触れないように、紫外線を発しているランプ部１２に触れないように、ユーザに警告することができる。
【００６２】
また、固定部１１は、ランプ部１２を水平方向に平行移動可能に支持するガイドバー３２とスライダ３３と、ランプ部１２を水平方向に平行移動させるベルト３５と駆動モータ３７とを有している。このような殺菌装置１は、ランプ部１２が水平方向に移動可能に支持されていることにより、ランプ部１２を移動させる力を低減することができる。このような殺菌装置１は、ランプ部１２を移動させる力が低減されることにより、駆動モータ３７の能力を低減することができ、装置全体を小型化することができる。
【００６３】
ところで、実施例１の殺菌装置１は、ランプ部１２を水平方向に平行移動させているが、水平方向と異なる方向にランプ部１２を移動させてもよい。殺菌装置１は、水平方向と異なる方向にランプ部１２を移動させる場合でも、表示面６の一部を紫外線照射するランプ部１２を移動させて表示面６の全部を紫外線照射することにより、小型化させることができる。
【００６４】
また、ガイドバー３２とスライダ３３とローラ１７とは、ランプ部１２が表示面６に接触しないように、ランプ部１２を支持している。ランプ部１２は、表示面６に接触しながら表示面６に沿って移動するときに、表示面６を傷つけてしまうことがあり、表示面６に堆積した塵埃を集めてしまうことがある。このような殺菌装置１は、ランプ部１２が表示面６に接触しないように支持されることにより、表示面６が傷つくことを防止することができ、表示面６に堆積した塵埃がランプ部１２に蓄積されることを防止することができる。
【００６５】
また、実施例１の殺菌装置１は、固定部１１をタッチパネル３に取り付ける両面テープをさらに備えている。このような殺菌装置１は、固定部１１が両面テープでタッチパネル３に固定されていることにより、殺菌装置１が初期的に設けられたタッチパネル３を作製する必要がなく、既存のタッチパネル３に容易に取り付けられることができる。なお、固定部１１は、両面テープと異なる他の取り付け部により、タッチパネル３のタッチパネル筐体５に固定されてもよい。このような取り付け部としては、固定部１１をタッチパネル筐体５にねじ止めするねじが例示される。
【００６６】
また、ランプ部１２は、表示面６のうちの紫外線に照射される領域を覆うカバー２１を有している。このような殺菌装置１は、カバー２１が設けられることにより、ランプ部１２が発する紫外線と、表示面６を反射した紫外線とがユーザに照射されることを防止し、ユーザに照射されるが紫外線の量を低減することができる。
【００６７】
ところで、実施例１の殺菌装置１は、複数の待機位置７１−１〜７１−２のいずれかにランプ部１２を待機させているが、ランプ部１２を第３待機位置７１−３に待機させてもよい。このとき、制御部３８は、ランプ部１２が第１待機位置７１−１に待機している場合で、第１領域７３−１の複数のボタン７２−１が触れられ、第２領域７３−２の複数のボタン７２−２が触れられていないときに、ランプ部１２を第３待機位置７１−３まで移動させる。制御部３８は、ランプ部１２が第１待機位置７１−１に待機している場合で、第１領域７３−１の複数のボタン７２−１が触れられず、第２領域７３−２の複数のボタン７２−２が触れられたときに、ランプ部１２を第２待機位置７１−２まで移動させる。
【００６８】
制御部３８は、ランプ部１２が第２待機位置７１−２に待機している場合で、第１領域７３−１の複数のボタン７２−１が触れられ、第２領域７３−２の複数のボタン７２−２が触れられていないときに、ランプ部１２を第１待機位置７１−１まで移動させる。制御部３８は、ランプ部１２が第２待機位置７１−２に待機している場合で、第１領域７３−１の複数のボタン７２−１が触れられないで、第２領域７３−２の複数のボタン７２−２が触れられているときに、ランプ部１２を第３待機位置７１−３まで移動させる。
【００６９】
制御部３８は、ランプ部１２が第３待機位置７１−３に待機している場合で、第１領域７３−１の複数のボタン７２−１が触れられ、第２領域７３−２の複数のボタン７２−２が触れられていないときに、ランプ部１２を第１待機位置７１−１まで移動させる。制御部３８は、ランプ部１２が第３待機位置７１−３に待機している場合で、第１領域７３−１の複数のボタン７２−１が触れられないで、第２領域７３−２の複数のボタン７２−２が触れられているときに、ランプ部１２を第２待機位置７１−２まで移動させる。
【００７０】
実施例１の殺菌装置１は、複数の待機位置７１−１〜７１−３にランプ部１２を待機させることにより、ランプ部１２の移動距離を短くすることができ、短時間に紫外線照射することができる場合がある。実施例１の殺菌装置１は、複数の待機位置７１−１〜７１−３にランプ部１２を待機させることにより、さらに、第１領域７３−１または第２領域７３−２を紫外線照射しない場合があり、紫外線照射されない領域の紫外線による劣化を低減することができる。
【００７１】
このとき、情報端末装置１０は、第１領域７３−１に複数のボタン７２−１を表示させないで、第２領域７３−２に複数のボタン７２−２を表示させることにより、ユーザが第１領域７３−１に触れないように誘導することができる。情報端末装置１０は、さらに、第２領域７３−２に複数のボタン７２−２を表示させないで、第１領域７３−１に複数のボタン７２−１を表示させることにより、ユーザが第２領域７３−２に触れないように誘導することができる。情報端末装置１０は、ランプ部１２が第１待機位置７１−１に待機しているときに、ユーザが第２領域７３−２に触れないように誘導することにより、殺菌装置１による紫外線照射の時間を短くし、第２領域７３−２の紫外線による劣化を低減することができる。情報端末装置１０は、ランプ部１２が第２待機位置７１−２に待機しているときに、ユーザが第１領域７３−１に触れないように誘導することにより、殺菌装置１による紫外線照射の時間を短くし、第１領域７３−１の紫外線による劣化を低減することができる。
【００７２】
ところで、殺菌装置１は、タッチパネル３に設置されているが、ユーザに触れられることにより操作される他の入力装置に設置されてもよい。図１１は、殺菌装置が設置される券売機を示す斜視図である。券売機８７は、図１１に示されているように、複数の押ボタン８８を備えている。複数の押ボタン８８は、入力装置であり、それぞれ、ユーザにより指で押下されることにより券売機８７に情報を入力する。券売機８７は、複数の押ボタン８８を介して入力された情報に基づいて券を発券する。
【００７３】
券売機８７は、既述の情報端末装置１０と同様にして、インターフェースケーブルを介して情報伝達可能に接続されている。券売機８７は、複数の押ボタン８８が操作されたときに、複数の押ボタン８８のうちのユーザにより押下された押ボタンを示す情報を殺菌装置１に伝達する。殺菌装置１は、複数の押ボタン８８を紫外線照射するときに、券売機８７から取得した押しボタンの情報に基づいて、ランプ部１２が移動する速度を変動させる。すなわち、殺菌装置１は、複数の押ボタン８８のうちの押下された押しボタンの近傍でランプ部１２を低速８４で移動させ、複数の押ボタン８８のうちの押下されていない押しボタンだけを紫外線照射するときにランプ部１２を高速８５で移動させる。このような動作によれば、殺菌装置１は、ランプ部１２を移動させる速度を変動させることにより、複数の押ボタン８８の全部を紫外線照射することに比較して、複数の押ボタン８８を短時間に紫外線照射することができる。
【実施例２】
【００７４】
図１２は、実施例２の殺菌装置のランプ部を示す背面図である。実施例２の殺菌装置のランプ部９１は、図１２に示されているように、既述のランプ部１２のＵＶランプ１６が複数のＵＶＬＥＤランプ９２に置換されたものである。複数のＵＶＬＥＤランプ９２は、それぞれ、紫外線を発するＬＥＤから形成されている。複数のＵＶＬＥＤランプ９２は、ランプ部９１のうちの表示面６に対向する面に形成される溝１９の底部に配置されている。
【００７５】
このとき、制御部３８は、ランプ部９１を用いてタッチパネル３の表示面６を紫外線照射するときに、ランプ部９１を定速で移動させ、情報端末装置１０から取得した汚染領域の位置に基づいて複数のＵＶＬＥＤランプ９２の各々を点灯したり消灯したりする。すなわち、実施例２の殺菌装置は、表示面６のうちのユーザにより触れられた領域が紫外線照射されるように、複数のＵＶＬＥＤランプ９２のうちのその領域に向いているＵＶＬＥＤランプを点灯させる。実施例２の殺菌装置は、さらに、表示面６のうちのユーザにより触れられていない領域が紫外線照射されないように、複数のＵＶＬＥＤランプ９２のうちのその領域に向いているＵＶＬＥＤランプを消灯させる。
【００７６】
実施例２の殺菌装置のランプ部９１は、紫外線をそれぞれ発する複数のＵＶＬＥＤランプ９２を有している。このとき、制御部３８は、ランプ部９１が移動している最中に、複数のＵＶＬＥＤランプ９２の各々が点灯したり消灯したりするように、制御する。実施例２の殺菌装置は、複数のＵＶＬＥＤランプ９２の各々を点灯させたり消灯させたりすることにより、ランプ部９１の移動方向である水平方向以外の方向にも、表示面６の部位ごとに異なる照射量の光を照射することができる。実施例２の殺菌装置は、表示面６の部位ごとに異なる照射量の紫外線を照射することにより、表示面６のうちの紫外線照射が不要である領域の紫外線照射量を低減することができ、表示面６のうちの紫外線照射量が低減された領域の劣化を低減することができる。
【００７７】
なお、ＵＶランプ１６または複数のＵＶＬＥＤランプ９２は、微生物を不活性化することができる他の光を発する他の光源に置換されてもよい。その光としては、赤外線が例示される。殺菌装置１は、ＵＶランプ１６または複数のＵＶＬＥＤランプ９２がこのような光源に置換された場合でも、表示面６の一部を赤外線照射するランプ部１２、９１を移動させて表示面６の全部を赤外線照射することにより、小型化させることができる。
【符号の説明】
【００７８】
１  ：殺菌装置
２  ：装置本体
３  ：タッチパネル
５  ：タッチパネル筐体
６  ：表示面
７  ：上辺
１０：情報端末装置
１１：固定部
１２：ランプ部
１３：ランプ部筐体
１４：非接触センサ
１５：ＬＥＤランプ
１６：ＵＶランプ
１７：ローラ
１８：インターロックセンサ
１９：溝
２１：カバー
２２：反射板
２３：微生物
３１：固定部筐体
３２：ガイドバー
３３：スライダ
３４：２つの定滑車
３５：ベルト
３６：位置センサ
３７：駆動モータ
３８：制御部
４１：接続ケーブル
４２：インターフェースケーブル
５１：複数の入出力ユニット
５２：処理装置
６１：操作領域収集部
６２：殺菌部
６３：インターロック部
６４：殺菌促進部
７１−１〜７１−３：複数の待機位置
７２−１〜７２−２：複数のボタン
８７：券売機
８８：複数の押ボタン
９１：ランプ部
９２：複数のＵＶＬＥＤランプ
【図１】
2018007929.tif 000003
【図２】
2018007929.tif 000004
【図３】
2018007929.tif 000005
【図４】
2018007929.tif 000006
【図５】
2018007929.tif 000007
【図６】
2018007929.tif 000008
【図７】
2018007929.tif 000009
【図８】
2018007929.tif 000010
【図９】
2018007929.tif 000011
【図１０】
2018007929.tif 000012
【図１１】
2018007929.tif 000013
【図１２】
2018007929.tif 000014